(57)【特許請求の範囲】
【請求項１】
入退場可否判定に用いる情報として複数の来訪者間で共用される１つ以上の共用コードを予め記憶する記憶部と、前記共用コードのいずれか１つと前記来訪者の個人情報とを含み、入退場を管理する建物内に設けられた各区画で前記来訪者が入退場する際に必要となる照合データを生成する照合データ生成部とを備える照合データ生成端末と、
前記共用コードごとに入退場許可区画を示す入退場許可情報としての許可レベルが登録された入退場判定情報、および前記区画ごとに設けられているリーダと当該区画で入退場可能な区画許可レベルとを示す区画情報を予め記憶する記憶部と、前記来訪者の前記照合データが記録された記録媒体から前記区画に設置されたリーダで取得した前記照合データに含まれる前記共用コードと対応する許可レベルを記憶部に記憶されている前記入退場判定情報から取得し、当該リーダと対応する区画許可レベルを前記記憶部に記憶されている前記区画情報から取得し、これら共用コードの許可レベルとリーダの区画許可レベルとを比較することにより、前記区画における前記来訪者の入退場可否を判定し、この入退場可否判定の判定結果に基づいて前記区画における前記来訪者の入退場を制御する入退場判定部と、前記入退場可否判定の処理内容と前記照合データに含まれる前記個人情報とを、前記入退場可否判定に関する履歴情報として記憶部へ記録する履歴管理部とを備える入退場管理装置と
を含むことを特徴とする入退場管理システム。
【請求項２】
請求項１に記載の入退場管理システムにおいて、
前記照合データ生成部は、前記照合データを生成する際、前記照合データの有効期限を前記照合データに付加し、
前記入退場判定部は、前記入退場可否判定時、前記照合データに含まれる有効期限に基づき前記照合データの有効性を確認する
ことを特徴とする入退場管理システム。
【請求項３】
請求項１に記載の入退場管理システムにおいて、
前記照合データ生成部は、前記照合データを生成する際、任意の暗証番号を前記照合データに付加し、
前記入退場判定部は、前記入退場可否判定時、前記リーダで操作入力された暗証番号と前記照合データに含まれる暗証番号の一致を確認する
ことを特徴とする入退場管理システム。
【請求項４】
請求項１に記載の入退場管理システムにおいて、
前記照合データ生成部は、前記照合データの一部または全部を暗号化し、
前記入退場判定部は、前記照合データのうち暗号化されている一部または全部を復号することを特徴とする入退場管理システム。
【請求項５】
請求項１に記載の入退場管理システムにおいて、
前記照合データ生成部は、生成した前記照合データを前記記録媒体となる前記来訪者の携帯端末へ電子メールで通知し、
前記リーダは、前記電子メールで通知されて前記携帯端末で画面表示された前記照合データ、あるいは前記携帯端末から近距離無線通信で送信された前記照合データを取得する
ことを特徴とする入退場管理システム。
【請求項６】
請求項１に記載の入退場管理システムにおいて、
前記リーダは、前記記録媒体に印刷出力された前記照合データを取得することを特徴とする入退場管理システム。
【請求項７】
照合データ生成端末の記憶部が、入退場可否判定に用いる情報として複数の来訪者間で共用される１つ以上の共用コードを予め記憶する記憶ステップと、
前記照合データ生成端末の照合データ生成部が、前記共用コードのいずれか１つと前記来訪者の個人情報とを含み、入退場を管理する建物内に設けられた各区画で前記来訪者が入退場する際に必要となる照合データを生成する照合データ生成ステップと、
入退場管理装置の記憶部が、前記共用コードごとに入退場許可区画を示す入退場許可情報としての許可レベルが登録された入退場判定情報、および前記区画ごとに設けられているリーダと当該区画で入退場可能な区画許可レベルとを示す区画情報を予め記憶する記憶ステップと、
前記入退場管理装置の入退場判定部が、前記来訪者の前記照合データが記録された記録媒体から前記区画に設置されたリーダで取得した前記照合データに含まれる前記共用コードと対応する許可レベルを記憶部に記憶されている前記入退場判定情報から取得し、当該リーダと対応する区画許可レベルを前記記憶部に記憶されている前記区画情報から取得し、これら共用コードの許可レベルとリーダの区画許可レベルとを比較することにより、前記区画における前記来訪者の入退場可否を判定し、この入退場可否判定の判定結果に基づいて前記区画における前記来訪者の入退場を制御する入退場判定ステップと、
前記入退場管理装置の履歴管理部が、前記入退場可否判定の処理内容と前記照合データに含まれる前記個人情報とを、前記入退場可否判定に関する履歴情報として記憶部へ記録する履歴管理ステップと
を含むことを特徴とする入退場管理方法。
【発明の詳細な説明】
【技術分野】
【０００１】
本発明は、入退場管理技術に関し、特に来訪者に対する入退場を判定し、その履歴を記録する入退場管理技術に関する。
【背景技術】
【０００２】
一般に、施設や建物を管理する入退場管理システムでは、特定区画について来訪者に対するセキュリティが必要な場合、来訪者に対して受付においてＩＤカードを貸し出し、このＩＤカードからリーダで読み取った識別情報に基づき、予め記憶部に保存されている入退場判定情報を参照することにより、入退場の可否を判定して特定区画での入退場を制御するものとなっている。また、後日、必要に応じて特定区画で入退場した来訪者や、特定来訪者が入室した区画を調べるため、入退場判定処理ごとに、処理日時、ユーザ識別情報、さらには判定結果などを履歴情報として記録するものとなっている。
【０００３】
このような入退場管理システムでは、来訪時、ＩＤカードを来訪者に貸し出す際、当該ＩＤカードと来訪者とを紐付けて管理するため、来訪者の個人情報や来訪者に許可する特定区画など、各種情報を登録する必要がある。このため、ＩＤカードの貸し出し時における登録作業に時間がかかり来訪者を待たせることになる。また、受付時の登録作業だけでなくＩＤカード返却時の紐付け抹消作業や、ＩＤカードの未返却時や破損時に対する管理作業も必要となり、来訪者のＩＤカード管理に要する作業コストが増大する要因となる。
【０００４】
従来、入退場管理システムにおいて、ＩＤカードに代えて暗証コードを来訪者に発行し、特定区画への入退場時に来訪者が操作入力した暗証コードの照合結果、当該暗証コードに対応する利用制限情報とに基づいて、通行管理を行う技術が提案されている（例えば、特許文献１など参照）。
また、このような暗証コードなど、来訪者を識別するための識別コードとして、バーコードから読み取った識別コードや携帯端末との近距離無線通信により取得した識別コードを用いることにより、入退場時の操作負担を軽減する技術も提案されている（例えば、特許文献２など参照）。
【先行技術文献】
【特許文献】
【０００５】
【特許文献１】特開２００５−０９７９７６号公報
【特許文献２】特開２００７−１６８９５２号公報
【発明の概要】
【発明が解決しようとする課題】
【０００６】
このような従来技術によれば、来訪者ごとに付与した識別コードに基づき入退場判定を行うため、来訪者に貸し出すＩＤカード自体が不要となり、ＩＤカードの管理に要する作業コストを軽減することができる。
しかしながら、従来技術では、入退場判定時に取得した識別コードを履歴情報として記録するだけでは、後日、識別コードから来訪者を特定できないため、識別コードと来訪者とを１対１で紐付けて管理しておく必要がある。このため、識別コードの重複付与を回避するため、識別コードの付与状況を入退場管理システム全体で一元管理する必要があり、識別コードに関する管理コストを削減できないという問題点があった。
【０００７】
本発明はこのような課題を解決するためのものであり、履歴情報を記録する場合でも、来訪者を識別するコードに関する管理コストを大幅に削減できる入退場管理技術を提供することを目的としている。
【課題を解決するための手段】
【０００８】
このような目的を達成するために、本発明にかかる入退場管理システムは、入退場可否判定に用いる情報として複数の来訪者間で共用される１つ以上の共用コードを予め記憶する記憶部と、共用コードのいずれか１つと来訪者の個人情報とを含み、入退場を管理する建物内に設けられた各区画で来訪者が入退場する際に必要となる照合データを生成する照合データ生成部とを備える照合データ生成端末と、共用コードごとに入退場許可区画を示す入退場許可情報としての許可レベルが登録された入退場判定情報、および前記区画ごとに設けられているリーダと当該区画で入退場可能な区画許可レベルとを示す区画情報を予め記憶する記憶部と、来訪者の照合データが記録された記録媒体から区画に設置されたリーダで取得した照合データに含まれる共用コードと対応する許可レベルを記憶部に記憶されている前記入退場判定情報から取得し、当該リーダと対応する区画許可レベルを前記記憶部に記憶されている前記区画情報から取得し、これら共用コードの許可レベルとリーダの区画許可レベルとを比較することにより、区画における来訪者の入退場可否を判定し、この入退場可否判定の判定結果に基づいて区画における来訪者の入退場を制御する入退場判定部と、入退場可否判定の処理内容と照合データに含まれる個人情報とを、入退場可否判定に関する履歴情報として記憶部へ記録する履歴管理部とを備える入退場管理装置とを含んでいる。
【０００９】
この際、照合データ生成部で、照合データを生成する際、照合データの有効期限を照合データに付加し、入退場判定部で、入退場可否判定時、照合データに含まれる有効期限に基づき照合データの有効性を確認するようにしてもよい。
【００１０】
また、照合データ生成部で、照合データを生成する際、任意の暗証番号を照合データに付加し、入退場判定部で、入退場可否判定時、リーダで操作入力された暗証番号と照合データに含まれる暗証番号の一致を確認するようにしてもよい。
【００１１】
また、照合データ生成部で、照合データの一部または全部を暗号化し、入退場判定部で、照合データのうち暗号化されている一部または全部を復号するようにしてもよい。
【００１２】
また、照合データ生成部で、生成した照合データを記録媒体となる来訪者の携帯端末へ電子メールで通知し、リーダで、電子メールで通知されて携帯端末で画面表示された照合データ、あるいは携帯端末から近距離無線通信で送信された照合データを取得するようにしてもよい。
【００１３】
また、リーダで、記録媒体に印刷出力された照合データを取得するようにしてもよい。
【００１４】
また、本発明にかかる入退場管理方法は、照合データ生成端末の記憶部が、入退場可否判定に用いる情報として複数の来訪者間で共用される１つ以上の共用コードを予め記憶する記憶ステップと、照合データ生成端末の照合データ生成部が、共用コードのいずれか１つと来訪者の個人情報とを含み、入退場を管理する建物内に設けられた各区画で来訪者が入退場する際に必要となる照合データを生成する照合データ生成ステップと、入退場管理装置の記憶部が、共用コードごとに入退場許可区画を示す入退場許可情報としての許可レベルが登録された入退場判定情報、および前記区画ごとに設けられているリーダと当該区画で入退場可能な区画許可レベルとを示す区画情報を予め記憶する記憶ステップと、入退場管理装置の入退場判定部が、来訪者の照合データが記録された記録媒体から区画に設置されたリーダで取得した照合データに含まれる共用コードと対応する許可レベルを記憶部に記憶されている前記入退場判定情報から取得し、当該リーダと対応する区画許可レベルを前記記憶部に記憶されている前記区画情報から取得し、これら共用コードの許可レベルとリーダの区画許可レベルとを比較することにより、区画における来訪者の入退場可否を判定し、この入退場可否判定の判定結果に基づいて区画における来訪者の入退場を制御する入退場判定ステップと、入退場管理装置の履歴管理部が、入退場可否判定の処理内容と照合データに含まれる個人情報とを、入退場可否判定に関する履歴情報として記憶部へ記録する履歴管理ステップとを含んでいる。
【発明の効果】
【００１５】
本発明によれば、照合データに含まれている来訪者の個人情報が履歴情報として記録されるため、来訪者を特定できる識別コードを用いることなく、後日、来訪者に関する履歴情報を容易に特定できる。したがって、来訪者の入退場判定を行うための識別コードとして、複数の来訪者間で共用される共用コードを用いることができる。
【００１６】
また、この共用コードは、入退場判定情報により、入退場が許可された区画が予め対応付けられているだけで、来訪者と対応付けられていないことから、複数の来訪者間で共用できるため、個々の共用コードについて使用状態を管理する必要がない。
このため、識別コードと来訪者とを１対１で紐付けて各識別コードの使用状態を管理しておき、来訪者に対して入退場を許可する区画に対応する識別コードのうち未使用状態の識別コードを選択して付与し、来訪終了時に当該識別コードを未使用状態とするなど、従来の識別コードで必要とされた管理コストを大幅に削減できる。
【図面の簡単な説明】
【００１７】
【図１】第１の実施の形態にかかる入退場管理システムの構成を示すブロック図である。
【図２】共用コードの構成例である。
【図３】照合データの構成例である。
【図４】ＱＲコードの変換例である。
【図５】入退場判定情報の構成例である。
【図６】区画情報の構成例である。
【図７】履歴情報の構成例である。
【図８】第１の実施の形態にかかる入退場管理システムの動作を示すシーケンス図である。
【図９】照合データの流れを示す説明図である。
【図１０】照合データの他の構成例である。ここでは、
【図１１】第２の実施の形態にかかる入退場管理システムの動作を示すシーケンス図である。
【発明を実施するための形態】
【００１８】
次に、本発明の実施の形態について図面を参照して説明する。
［第１の実施の形態］
まず、図１を参照して、本発明の第１の実施の形態にかかる入退場管理システムについて説明する。図１は、第１の実施の形態にかかる入退場管理システムの構成を示すブロック図である。
【００１９】
この入退場管理システム１は、施設や建物に設けられた区画ごとに来訪者の入退場を管理するシステムであり、主な構成として、照合データ生成端末１０、入退場管理装置２０、リーダ３１、およびゲート装置３２を含んでいる。
各区画Ｓの出入口に対して設置されているリーダ３１およびゲート装置３２は、制御バスＢＳを介してそれぞれデータ通信可能に入退場管理装置３０と接続されている。また、照合データ生成端末１０と入退場管理装置２０は、互いに独立して設置されているが、通信回線を介してデータ通信可能に接続してもよい。
【００２０】
本実施の形態は、照合データ生成端末１０で、入退場可否判定に用いる情報として複数の来訪者間で共用される１つ以上の共用コードを予め記憶しておき、共用コードのいずれか１つと来訪者の個人情報とを含み、入退場を管理する区画で来訪者が入退場する際に必要となる照合データを生成し、入退場管理装置２０で、共用コードごとに入退場許可区画が登録された入退場判定情報を予め記憶する記憶部と、来訪者の照合データが記録された記録媒体から区画に設置されたリーダで取得した照合データに含まれる共用コードを入退場判定情報と照合することにより、区画における来訪者の入退場可否を判定し、この入退場可否判定の判定結果に基づいて区画における来訪者の入退場を制御し、入退場可否判定の処理内容と照合データに含まれる個人情報とを、入退場可否判定に関する履歴情報として記憶部へ記録するようにしたものである。
【００２１】
リーダ３１は、来訪者の所持する携帯端末５０などの記録媒体から、入退場可否判定に用いる照合データＤを取得する機能を有している。特に、照合データＤとして、ＱＲコードに代表されるような、データを図柄でエンコードして表現したシンボルを用いる場合には、このシンボルを表示した画面や印刷出力した紙ラベルから光学的にシンボルを読み取るスキャナ機能を持つリーダ３１を用いればよい。また、携帯端末５０からデータ通信により照合データＤを取得する場合には、赤外線通信やＲＦＩＤなどの近距離無線通信機能を持つリーダ３１を用いればよい。
【００２２】
ゲート装置３２は、区画Ｓの出入口に設けられて、入退場管理装置２０からの開扉指示に応じて、出入口を開扉し、あるいは扉の電気錠を開錠する機能を有している。このゲート装置３２は、常時、閉扉あるいは施錠状態を維持することにより来訪者の入退場を禁止しており、入退場管理装置２０から開扉指示が到来した場合にのみ所定期間だけ開扉あるいは開錠するものとする。
【００２３】
携帯端末５０は、一般的な携帯電話やＰＤＡなどの情報通信端末からなり、通信網ＮＷを介して照合データ生成端末１０からの電子メールを受信する機能を有している。特に、照合データＤとして、ＱＲコードに代表されるような、データを図柄でエンコードして表現したシンボルを用いる場合には、電子メールで通知されたシンボルを画面表示する機能を持つ携帯端末５０を用いればよい。また、データ通信により照合データＤをリーダ３１へ通知する場合には、赤外線通信やＲＦＩＤなどの近距離無線通信機能を持つ携帯端末５０を用いればよい。
【００２４】
［照合データ生成端末］
次に、図１を参照して、本実施の形態にかかる入退場管理システム１の照合データ生成端末１０について詳細に説明する。本実施の形態では、照合データとして、ＱＲコードを用いる場合を例として説明する。
【００２５】
照合データ生成端末１０は、全体としてパソコンなどの情報処理端末からなり、主な機能として、記憶部１１と照合データ生成部１２とが設けられている。このほか、照合データ生成端末１０には、キーボードやマウスなどの操作入力部、ＬＣＤなどの画面表示装置、電子メールを送受信する際に用いるデータ通信部など、一般的な情報処理端末に設けられている各種機能を有しているものとする。
【００２６】
記憶部１１は、ハードディスクや半導体メモリなどの記憶装置からなり、照合データ生成端末１０での処理動作に用いる各種処理情報やプログラムを記憶する機能を有している。
記憶部１１で記憶する主な処理情報として共用コードがある。図２は、共用コードの構成例である。ここでは、９桁の数字から構成された共用コードが複数登録されている。各共用コードには、後述する入退場管理装置２０の入場判定情報において、当該共用コードで入退場を許可する入退場許可区画を示す許可レベルが予め設定されている。任意の来訪者の照合データを生成する場合には、当該来訪者に許可する区画に対応する共用コードが選択される。
【００２７】
照合データ生成部１２は、ＣＰＵで記憶部１１のプログラムを実行することにより各種処理を実現する演算処理部からなり、記憶部１１の共用コードのいずれか１つと来訪者の個人情報とを含み、入退場を管理する区画で来訪者が入退場する際に必要となる照合データを生成する機能と、生成した照合データの一部または全部を暗号化する機能と、照合データをＱＲコードに変換する機能と、得られたＱＲコードからなる照合データを電子メールで来訪者の携帯端末５０へ通知する機能とを有している。
【００２８】
図３は、照合データの構成例である。ここでは、共用コードと、来訪者の名前・会社名、所属部署などを含む来訪者の個人情報、および照合データの有効な期間を示す有効期限が含まれている。このうち、共用コードは、来訪者が入退場する区画と対応する共用コードが記憶部１１からオペレータが選択したものである。個人情報は、事前に取得した来訪者の個人情報をオペレータが入力したものである。有効期限は、来訪者の来訪期間に合わせてオペレータが入力したものである。
【００２９】
図４は、ＱＲコードの変換例である。ここでは、図３に示した照合データをＱＲコードに変換した例が示されている。なお、個人情報など、セキュリティ性が求められる場合には、当該部分を暗号化した後、ＱＲコードに変換すればよい。ＱＲコードは、画像ファイルとして生成されるため、電子メールにＱＲコードの画像ファイルを添付する形式で来訪者へ通知される。なお、照合データについてはＱＲコード以外のシンボル、例えば１次元バーコードやカラーバーコードなど、他のシンボルに変換してもよい。
【００３０】
［入退場管理装置］
次に、図１を参照して、本実施の形態にかかる入退場管理システム１の入退場管理装置２０について詳細に説明する。本実施の形態では、照合データとして、ＱＲコードを用いる場合を例として説明する。
【００３１】
入退場管理装置２０は、全体としてコンピュータを用いて制御バスＢＳに接続された各種機器を制御するコントローラなどの機器制御装置からなり、制御バスＢＳを介して各区画Ｓのリーダ３１やゲート装置３２とデータ通信可能に接続されている。この入退場管理装置２０には、主な機能部として、記憶部２１、入退場判定部２２、および履歴管理部２３が設けられている。
【００３２】
記憶部２１は、ハードディスクや半導体メモリなどの記憶装置からなり、入退場管理装置２０での処理動作に用いる各種処理情報やプログラムを記憶する機能を有している。
記憶部２１で記憶する主な処理情報として、入退場判定情報、区画情報、および履歴情報がある。
【００３３】
図５は、入退場判定情報の構成例である。入退場判定情報は、共用コードで入退場可能な区画を示す情報である。ここでは、共用コードごとに、当該共用コードで入退場可能な区画を示す入退場許可情報として許可レベルが登録されている。例えば、共用コード「００６００２００１」には、応接室の入退場を許可する許可レベル「１」が登録されており、共用コード「００６００２００２」には、応接室の入退場を許可する許可レベル「２」が登録されている。
【００３４】
この許可レベルは、入退場許可の順位を示す情報であり、そのレベル値と等しい許可レベルを持つ区画の入退場が許可されているだけでなく、そのレベル値より低い許可レベルを持つ区画の入退場も許可されている。したがって、共用コード「００６００２００２」が付与された来訪者は、許可レベル「２」だけでなく許可レベル「１」の区画での入退場も許可されている。
【００３５】
図６は、区画情報の構成例である。区画情報は、入退場管理システムで管理する区画に設けられているリーダと、その区画で入退場可能な区画許可レベルとを示す情報である。ここでは、区画を識別するための区画ごとに、当該区画の出入口に設置されているリーダ３１を識別するためのリーダＩＤと、当該区画で入退場可能な区画許可レベルとが組として登録されている。例えば、「応接室１」という区画には、リーダＩＤ「００１０１」を持つリーダ３１が設置されており、「応接室１」で入退場可能な区画許可レベルは許可レベル「１」であることが登録されている。
【００３６】
図７は、履歴情報の構成例である。ここでは、入退場管理装置２０の入退場判定部２２で実行した入退場判定処理ごとに、判定日時、共用コード、個人情報、区画、および種別が登録されている。このうち、判定日時は、入退場判定処理を実行した日時を示している。また、共用コードおよび個人情報は、入退場判定処理で照合データから取得した共用コードおよび個人情報である。区画は、入退場判定の対象となる区画を示し、種別は、入退場判定の処理結果である入場／退場／エラーの区別を示している。
【００３７】
図７では、例えば、共用コード「００６００２０００１」が付与された来訪者「山武太郎」が、「２０１０−０６−０１  ０９：５５」に「応接室１」へ「入場」したことが記録されている。また、上記と同一の共用コード「００６００２０００１」が付与された来訪者「山武花子」が、「２０１０−０６−０１  １０：０８」に「応接室２」へ「入場」したことが記録されている。この場合、異なる来訪者の入退場可否判定において同一の共用コードが用いられているが、履歴情報にはそれぞれの来訪者の個人情報が含まれているため、履歴情報を区別することができる。
【００３８】
入退場判定部２２は、ＣＰＵで記憶部１１のプログラムを実行することにより各種処理を実現する演算処理部からなり、制御バスＢＳを介してリーダ３１から判定要求を受信する機能と、受信した判定要求に含まれる照合データのうち暗号化されている一部または全部を復号する機能と、得られた照合データに含まれる共用コードを入退場判定情報と照合することにより、区画における来訪者の入退場可否を判定する機能と、この入退場可否判定の判定結果に基づいて区画における来訪者の入退場を制御する機能とを有している。
【００３９】
入退場判定部２２の具体的な機能としては、判定要求で通知された照合データに含まれる共用コードを取得する機能と、記憶部２１の入退場判定情報から当該共用コードに対応する入退場許可情報を取得する機能と、判定要求で通知されたリーダ３１のリーダＩＤを取得する機能と、記憶部２１の区画情報から当該リーダＩＤに対応する区画許可レベルを取得する機能と、入退場許可情報の許可レベルと区画許可レベルとを比較することにより、当該区画での入退場可否を判定する機能がある。
【００４０】
履歴管理部２３は、ＣＰＵで記憶部１１のプログラムを実行することにより各種処理を実現する演算処理部からなり、入退場判定部２２での入退場可否判定の処理内容と照合データに含まれる個人情報とを、入退場可否判定に関する履歴情報として記憶部２１へ記録する機能とを有している。入退場可否判定の処理内容としては、図７の履歴情報について説明した、判定日時、共用コード、区画、種別などの各種情報がある。
【００４１】
［第１の実施の形態の動作］
次に、図８を参照して、本実施の形態にかかる入退場管理システムの動作について説明する。図８は、第１の実施の形態にかかる入退場管理システムの動作を示すシーケンス図である。
【００４２】
ここでは、来訪者の来訪先となる担当者が照合データ生成端末１０により来訪者の照合データをＱＲコードで生成して、電子メールで来訪者の携帯端末５０へ予め通知し、来訪時には来訪者が携帯端末５０を操作してＱＲコードを画面表示して、区画Ｓである応接室の出入口に設置されているリーダ３１へ提示することにより、入退場の許可を要請する場合について説明する。
【００４３】
まず、照合データ生成端末１０において、照合データ生成部１２は、担当者の操作に応じて、記憶部１１に記憶されている共用コードのうちから、来訪者が入退場する区画Ｓでの入退場許可を示す共用コードを選択する（ステップ１００）。
また、照合データ生成部１２は、担当者の操作に応じて、来訪者の個人情報を取得して（ステップ１０１）、当該個人情報を暗号化し（ステップ１０２）、担当者の操作に応じて、生成する照合データの有効期限を設定する（ステップ１０３）。
【００４４】
続いて、照合データ生成部１２は、これら共用コード、暗号化された個人情報、および有効期限を用いて、前述の図３に示した照合データを生成し（ステップ１０４）、当該照合データを、前述の図４に示したＱＲコードに変換する（ステップ１０５）。
次に、照合データ生成部１２は、担当者の操作に応じて、来訪者の携帯端末５０の電子メールアドレスや、来訪日時などを含む本文を取得して、ＱＲコードを示す画像ファイルが添付された電子メールを生成し（ステップ１０６）、通信網ＮＷを介して携帯端末５０へ送信することにより照合データを来訪者へ発行する（ステップ１０７）。
携帯端末５０は、通信網ＮＷを介して照合データ生成端末１０からの電子メールを受信し、電子メールに添付されているＱＲコードからなる照合データをメモリに保存する（ステップ１０８）。
【００４５】
この後、来訪者が来訪して応接室への入場の許可を要請する場合、来訪者の操作に応じて携帯端末５０がＱＲコードを画面表示する（ステップ１１０）。
応接室である区画Ｓの出入口に設けられているリーダ３１は、携帯端末５０で画面表示されているＱＲコードを取得して照合データに変換し（ステップ１１１）、当該照合データと自己のリーダＩＤと含む判定要求を、制御バスＢＳを介して入退場管理装置２０へ通知する（ステップ１１２）。
【００４６】
入退場管理装置２０の入退場判定部２２は、リーダ３１からの判定要求に応じて、判定要求で通知された照合データのうちの暗号化個人情報を復号し（ステップ１２０）、得られた照合データに含まれる有効期限を取得して、現在日時と比較することにより、照合データの有効性を確認する（ステップ１２１）。
ここで、現在日時が有効期限の範囲外であり、照合データの有効性が確認できなかった場合、入退場判定部２２は、リーダ３１へ判定エラーを通知し、これに応じてリーダ３１は入退場不可を表示するなどのエラー処理を実行する。
【００４７】
一方、現在日時が有効期限の範囲内であり、照合データの有効性が確認できた場合、入退場判定部２２は、照合データから取得した共用コードと対応する入退場許可情報を、記憶部２１の入退場判定情報から取得するとともに、判定要求で通知されたリーダ３１のリーダＩＤと対応する区画許可レベルを記憶部２１の区画情報から取得し、これら入退場許可情報の許可レベルと区画許可レベルとを比較することにより、当該区画での入退場可否を判定する（ステップ１２２）。
【００４８】
ここで、入退場許可情報の許可レベルのレベル値が区画許可レベルのレベル値より低く、入退場不可と判定された場合、入退場判定部２２は、リーダ３１へ判定エラーを通知し、これに応じてリーダ３１は入退場不可を表示するなどのエラー処理を実行する。
【００４９】
一方、入退場許可情報の許可レベルのレベル値が区画許可レベルのレベル値以上であり、入退場可能と判定された場合（ステップ１２２：ＹＥＳ）、入退場判定部２２は、制御バスＢＳを介して区画Ｓのゲート装置３２へ、開扉指示を通知する（ステップ１２３）。これに応じて、ゲート装置３２は、区画Ｓの出入口に設けられている扉を開扉する（ステップ１２４）。これにより、来訪者は区画Ｓである応接室へ入場可能となる。
【００５０】
この後、履歴管理部２３は、照合データに含まれている来訪者の個人情報と、入退場判定に用いた、判定日時、共用コード、区画、および種別を示す処理内容とを、入退場判定部２２から取得し、これらを記憶部２１の履歴情報として記録する（ステップ１２５）。
【００５１】
［第１の実施の形態の効果］
このように、本実施の形態は、照合データ生成端末１０の照合データ生成部１２で、来訪者間で共用される共用コードのいずれか１つと来訪者の個人情報とを含み、入退場を管理する区画で来訪者が入退場する際に必要となる照合データを生成するようにしたものである。また、入退場管理装置２０の入退場判定部２２で、来訪者の照合データが記録された記録媒体から区画に設置されたリーダで取得した照合データに含まれる共用コードを入退場判定情報と照合することにより、区画における来訪者の入退場可否を判定し、この入退場可否判定の判定結果に基づいて区画における来訪者の入退場を制御し、履歴管理部２３で、入退場可否判定の処理内容と照合データに含まれる個人情報とを、入退場可否判定に関する履歴情報として記憶部２１へ記録するようにしたものである。
【００５２】
これにより、照合データに含まれている来訪者の個人情報が履歴情報として記録されるため、来訪者を特定できる識別コードを用いることなく、後日、来訪者に関する履歴情報を容易に特定できる。したがって、来訪者の入退場判定を行うための識別コードとして、複数の来訪者間で共用される共用コードを用いることができる。
【００５３】
また、この共用コードは、入退場判定情報により、入退場が許可された区画が予め対応付けられているだけで、来訪者と対応付けられていないことから、複数の来訪者間で共用できるため、個々の共用コードについて使用状態を管理する必要がない。
このため、識別コードと来訪者とを１対１で紐付けて各識別コードの使用状態を管理しておき、来訪者に対して入退場を許可する区画に対応する識別コードのうち未使用状態の識別コードを選択して付与し、来訪終了時に当該識別コードを未使用状態とするなど、従来の識別コードで必要とされた管理コストを大幅に削減できる。
【００５４】
また、本実施の形態では、照合データ生成部１２で、照合データを生成する際、照合データの有効期限を照合データに付加し、入退場判定部２２で、照合データに含まれる有効期限に基づき照合データの有効性を確認した後、入退場可否を判定するようにしたので、照合データの不正使用を抑制することができる。
【００５５】
また、本実施の形態では、照合データ生成部１２で、照合データの一部または全部を暗号化し、入退場判定部２２で、照合データのうち暗号化されている一部または全部を復号するようにしたので、照合データを第三者が不正に入手した場合でも、来訪者の個人情報などの秘密情報の漏洩を防ぐことができる。なお、暗号化の対象としては、個人情報に限定されるものではなく、共用コードや有効期限を暗号化してもよい。これにより、照合データの不正使用を抑止することができる。
【００５６】
また、本実施の形態では、照合データ生成部１２で、生成した照合データを記録媒体となる来訪者の携帯端末５０へ電子メールで通知し、リーダ３１で、電子メールで通知されて携帯端末５０で画面表示された照合データ、あるいは携帯端末５０から近距離無線通信で送信された照合データを取得するようにしたので、携帯端末５０を操作するだけで入退場判定に必要な照合データをリーダ３１へ提示することができる。これにより、入退場判定時における来訪者の作業負担を大幅に削減することができる。
【００５７】
なお、本実施の形態では、照合データを電子メールで来訪者の携帯端末５０へ通知した後、携帯端末５０で画面表示することによりリーダ３１へ提示する場合を例として説明したが、照合データをリーダ３１へ通知する方法については、これに限定されるものではない。
図９は、照合データの流れを示す説明図である。本実施の形態で説明した照合データの流れは、担当者の照合データ生成端末１０で生成された照合データが電子メールにより通信網ＮＷを介して、来訪者の携帯端末５０へ通知され、入退場判定時に携帯端末５０で画面表示された照合データＤ０がリーダ３１へ取り込まれる経路である。この際、画面表示に代えて近距離無線通信により携帯端末５０からリーダ３１へ照合データＤ０を通知する経路もある。
【００５８】
また、照合データの生成は、担当者に限定されるものではなく、来訪者の受付を行う受付者など他の利用者が照合データを生成してもよい。例えば、来訪者が来訪した際、来訪者から提示された名刺に基づいて、受付者が照合データ生成端末１０により照合データを生成して、来訪者の携帯端末５０へ通知してもよい。これにより、担当者の作業負担を抑止することができる。
【００５９】
また、照合データは、紙レベルなどの記録媒体に印刷出力し、リーダ３１で読み取るようにしてもよい。この場合には、照合データ生成端末１０で印刷出力した照合データＤ１を来訪者へ配布してもよく、来訪者が携帯端末５０で受信した電子メールを印刷出力した照合データＤ２を用いてもよい。
【００６０】
また、本実施の形態では、入退室管理装置２０で履歴情報を記録する場合を例として説明したが、これに限定されるものではなく、入退室管理装置２０とは別個に、履歴管理装置を設け、入退室管理装置２０から通知された履歴情報を逐次記録するようにしてもよい。
【００６１】
［第２の実施の形態］
次に、本発明の第２の実施の形態かかる入退場管理システムについて説明する。
第１の実施の形態では、照合データの不正使用を防止するため、有効期限を設定する場合について説明した。本実施の形態では、暗証番号を用いて照合データの不正使用を防止する場合について説明する。
【００６２】
本実施の形態において、照合データ生成端末１０の照合データ生成部１２は、照合データを生成する際、任意の暗証番号を照合データに付加する機能を有している。
入退場管理装置２０の入退場判定部２２は、入退場可否判定時、リーダ３１で操作入力された暗証番号と照合データに含まれる暗証番号の一致を確認する機能を有している。
【００６３】
図１０は、照合データの他の構成例である。ここでは、前述の図３で説明した共用コード、個人情報、および有効期限に加え、暗証番号が新たな付加されている。この暗証番号は、照合データ生成部１２がランダムに発生させてもよく、担当者が任意の番号を操作入力してもよい。
本実施の形態にかかる入退場管理システム１におけるこの他の構成については、第１の実施の形態と同様であり、ここでの詳細な説明は省略する。
【００６４】
［第２の実施の形態の動作］
次に、図１１を参照して、本実施の形態にかかる入退場管理システムの動作について説明する。図１１は、第２の実施の形態にかかる入退場管理システムの動作を示すシーケンス図であり、前述の図８と同じまたは同等部分には同一符号を付してある。
【００６５】
ここでは、来訪者の来訪先となる担当者が照合データ生成端末１０により、暗証番号を含む照合データをＱＲコードで生成して、電子メールで来訪者の携帯端末５０へ予め通知し、来訪時には来訪者が携帯端末５０を操作してＱＲコードを画面表示して、区画Ｓである応接室の出入口に設置されているリーダ３１へ提示するとともに、暗証番号を操作入力することにより、入退場の許可を要請する場合について説明する。
【００６６】
まず、照合データ生成端末１０において、照合データ生成部１２は、担当者の操作に応じて、記憶部１１に記憶されている共用コードのうちから、来訪者が入退場する区画Ｓでの入退場許可を示す共用コードを選択する（ステップ１００）。
また、照合データ生成部１２は、担当者の操作に応じて、来訪者の個人情報を取得して（ステップ１０１）、当該個人情報を暗号化し（ステップ１０２）、暗証番号を生成し（ステップ２００）、担当者の操作に応じて、生成する照合データの有効期限を設定する（ステップ１０３）。
【００６７】
続いて、照合データ生成部１２は、これら共用コード、暗号化された個人情報、暗証番号、および有効期限を用いて、前述の図３に示した照合データを生成し（ステップ１０４）、当該照合データを、前述の図４に示したＱＲコードに変換する（ステップ１０５）。
次に、照合データ生成部１２は、担当者の操作に応じて、来訪者の携帯端末５０の電子メールアドレスや、来訪日時などを含む本文を取得して、ＱＲコードを示す画像ファイルが添付された電子メールを生成し（ステップ１０６）、通信網ＮＷを介して携帯端末５０へ送信することにより照合データを来訪者へ発行する（ステップ１０７）。
【００６８】
この後、来訪者が来訪して応接室への入場の許可を要請する場合、来訪者の操作に応じて携帯端末５０がＱＲコードを画面表示する（ステップ１１０）。
応接室である区画Ｓの出入口に設けられているリーダ３１は、携帯端末５０で画面表示されているＱＲコードを取得して照合データに変換するとともに（ステップ１１１）、来訪者の操作に応じて暗証番号を取得し（ステップ２１０）、当該照合データおよび暗証番号と自己のリーダＩＤとを含む判定要求を、制御バスＢＳを介して入退場管理装置２０へ通知する（ステップ１１２）。このとき、暗証番号は、照合データを生成した担当者が、別途、電子メールや電話連絡で来訪者に前もって通知すればよい。
【００６９】
入退場管理装置２０の入退場判定部２２は、リーダ３１からの判定要求に応じて、判定要求で通知された照合データのうちの暗号化個人情報を復号し（ステップ１２０）、得られた照合データに含まれる有効期限を取得して、現在日時と比較することにより、照合データの有効性を確認する（ステップ１２１）。
ここで、現在日時が有効期限の範囲外であり、照合データの有効性が確認できなかった場合、入退場判定部２２は、リーダ３１へ判定エラーを通知し、これに応じてリーダ３１は入退場不可を表示するなどのエラー処理を実行する。
【００７０】
また、入退場判定部２２は、得られた照合データに含まれる暗証番号を取得して、判定要求で通知された、来訪者が入力した暗証番号と比較することにより、照合データおよび来訪者の正当性を確認する（ステップ１２１）。
ここで、両暗証番号が一致せず、照合データおよび来訪者の正当性が確認できなかった場合、入退場判定部２２は、リーダ３１へ判定エラーを通知し、これに応じてリーダ３１は入退場不可を表示するなどのエラー処理を実行する。
【００７１】
一方、現在日時が有効期限の範囲内であり、照合データの有効性が確認できた場合、入退場判定部２２は、照合データから取得した共用コードと対応する入退場許可情報を、記憶部２１の入退場判定情報から取得するとともに、判定要求で通知されたリーダ３１のリーダＩＤと対応する区画許可レベルを記憶部２１の区画情報から取得し、これら入退場許可情報の許可レベルと区画許可レベルとを比較することにより、当該区画での入退場可否を判定する（ステップ１２２）。
【００７２】
ここで、入退場許可情報の許可レベルのレベル値が区画許可レベルのレベル値より低く、入退場不可と判定された場合、入退場判定部２２は、入退場判定部２２は、リーダ３１へ判定エラーを通知し、これに応じてリーダ３１は入退場不可を表示するなどのエラー処理を実行する。
【００７３】
一方、入退場許可情報の許可レベルのレベル値が区画許可レベルのレベル値以上であり、入退場可能と判定された場合（ステップ１２２：ＹＥＳ）、入退場判定部２２は、制御バスＢＳを介して区画Ｓのゲート装置３２へ、開扉指示を通知する（ステップ１２３）。これに応じて、ゲート装置３２は、区画Ｓの出入口に設けられている扉を開扉する（ステップ１２４）。これにより、来訪者は区画Ｓである応接室へ入場可能となる。
【００７４】
この後、履歴管理部２３は、照合データに含まれている来訪者の個人情報と、入退場判定に用いた、判定日時、共用コード、区画、および種別を示す処理内容とを、入退場判定部２２から取得し、これらを記憶部２１の履歴情報として記録する（ステップ１２５）。
【００７５】
［第２の実施の形態の効果］
このように、本実施の形態は、照合データ生成端末１０の照合データ生成部１２で、照合データを生成する際、任意の暗証番号を照合データに付加し、入退場管理装置２０の入退場判定部２２で、入退場可否判定時、リーダ３１で操作入力された暗証番号と照合データに含まれる暗証番号の一致を確認するようにしたので、照合データおよび来訪者の正当性を確認することができる。
これにより、照合データを第三者が入手して入退場を試みた場合でも、その不正行為を的確に検知することができ、高いセキュリティ性を得ることができる。
【００７６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００７７】
１…入退場管理システム、１０…照合データ生成端末、１１…記憶部、１２…照合データ生成部、２０…入退場管理装置、２１…記憶部、２２…入退場判定部、２３…履歴管理部、３１…リーダ、３２…ゲート装置、５０…携帯端末、ＮＷ…通信網、Ｄ…照合データ、Ｓ…区画、ＢＳ…制御バス。
【図１】
0005592742.tif 000002
【図２】
0005592742.tif 000003
【図３】
0005592742.tif 000004
【図４】
0005592742.tif 000005
【図５】
0005592742.tif 000006
【図６】
0005592742.tif 000007
【図７】
0005592742.tif 000008
【図８】
0005592742.tif 000009
【図９】
0005592742.tif 000010
【図１０】
0005592742.tif 000011
【図１１】
0005592742.tif 000012